(57)【要約】【課題】特別な水中照明用管球を用いることなく、水圧が加わった場合においても口金部ホルダへの水の侵入を妨げることができ、そして管球の破損も防止することができる水中照明具を提供すること。【解決手段】水中照明用管球１４；管球１４の口金部１１を収容する口金部ホルダ１５；口金部ホルダの底部に電気的に接続しているコード１６；口金部ホルダを収容し、かつコードの電源への延長を可能にする透孔を備える外套管１８；そして外套管の先端部に備えられた管球保護用フレーム１９からなり、前記の外套管１８の先端部が管球１４のテーパ部１２を超えて管球部１３の基部１３ａにまで伸びていて、そして管球１４のテーパ部１２と外套管１８の内壁との間、及び管球１４の管球部１３の基部１３ａと外套管１８の内壁との間のそれぞれにＯリングが備えられていることにより水密構造が形成されていて、口金部ホルダ１５への水の侵入が妨げられていることを特徴とする水中照明具【選択図】図１
2008171672.tif 000002
【特許請求の範囲】
【請求項１】
円筒形の口金部、該口金部よりも大きな直径を持つ管球部及び口金部と管球部との間に介在するテーパ部からなる水中照明用管球；該水中照明用管球の口金部を収容する口金部ホルダ；該口金部ホルダの底部に電気的に接続しているコード；口金部ホルダを収容し、かつ該コードの電源への延長を可能にする透孔を備える外套管；そして外套管の先端部に備えられた管球保護用フレームからなる水中照明具であって、該外套管の先端部が水中照明用管球のテーパ部を超えて管球部の基部にまで伸びていて、そして少なくとも該水中照明用管球のテーパ部と外套管の内壁との間、及び該水中照明用管球の管球部の基部と外套管の内壁との間のそれぞれにＯリングが備えられていることにより水密構造が形成されていて、口金部ホルダへの水の侵入が妨げられていることを特徴とする水中照明具。
【請求項２】
水中照明用管球の管球部の基部と外套管の内壁との間のＯリングの太さが、水中照明用管球のテーパ部と外套管の内壁との間のＯリングの太さよりも大きい請求項１に記載の水中照明具。                                                                           
【発明の詳細な説明】
【技術分野】
【０００１】
本発明は、特に海中での集魚に有利に用いることができる水中照明具に関する。
【背景技術】
【０００２】
従来より、例えば、アジ、サバ、あるいはイカなどを漁船の近くにまで誘導（一般に、「集魚」と云われている）して捕獲するため、水中用の照明具が用いられている。また、このような水中照明具を、例えば、海底ケーブルを設置する際の海中での作業、あるいは海岸付近の海のライトアップ等に用いることも知られている。
【０００３】
図３は、特許文献１に記載の従来の水中照明具の構成を示す一部切り欠き正面図である。そして図４は、図３の水中照明具５０の外套管５８の先端部の近辺の構成を示す拡大図である。
【０００４】
図３及び図４に示す水中照明具５０は、円筒形の口金部（基端部）５１、口金部５１よりも大きな直径を持つ管球部５３及び口金部５１と管球部５３との間に介在するテーパ部５２からなる水中照明用管球（電球）５４、水中照明用管球５４の口金部５１を収容する口金部ホルダ（ソケット）５５、口金部ホルダ５５の底部（図３において上方の部分）に電気的に接続しているコード（電線）５６、口金部ホルダ５５を収容し、かつ前記コード５６の電源への延長を可能にする透孔５７を備える外套管（中空ケース）５８、そして外套管５８の先端部に備えられた管球保護用フレーム（電球ガード）５９などから構成されている。一般に、前記の水中照明用管球（以下、単に「管球」と云う場合もある）５４としては、ハロゲンランプやメタルハライドランプが使用されている。
【０００５】
この水中照明具５０には、口金部５１に段部５１ａが形成された特別な水中照明用管球５４が用いられる。そして、水中照明具５０においては、水中での使用の際に水中照明用管球５４の口金部５１を収容している口金部ホルダ５５への水の侵入を妨げるため、環状パッキン６５とＯリング６１とが用いられている。
【０００６】
環状パッキン６５は、上部環体６３と下部環体６４との間に円環板状の弾性体（環状弾性体）６２が挟着された構成を有しており、水中照明用管球５４の口金部５１の段部５１ａと、外套管５８の内壁との間に配設されている。そしてＯリング６１は、上記の段部５１ａの上縁と、環状パッキン６５の上部環体６３の内周に形成された内方突出部６３ａとの間に配設されている。
【０００７】
環状パッキン６５は、ボルト６７の締め付けによりパッキン押え６６が押し付けられることで厚み方向（図４の上下方向）に締め付けられる。これにより、環状パッキン６５の円環板状の弾性体６２が内方に膨出し、水中照明用管球５４の口金部５１に形成された段部５１ａの山形形状に沿って変形しながら段部５１ａに密着する。また、水中照明具５０に水圧が加わった際には、この水圧により水中照明用管球５４が口金部ホルダ５５の側に押されて前記段部５１ａがＯリング６１に密着する。このように、特許文献１の水中照明具５０は、水中照明用管球５４の段部５１ａに弾性体６２とＯリング６１とが十分に密着するため、口金部ホルダ５５が収容されている外套管５８の内部の水密性に優れているとされている。
【０００８】
特許文献２においては、上記のような水中照明具は、使用する水中照明用管球の段部が同公報の図５（ａ）に示されるような山形形状を持つもの（突条）である場合には、段部の形状を品質管理することが難しく、また環状パッキンを締め付ける際に段部に線状にストレスが集中するため、少しでも段部が鋭角になると管球が破損すると記載されている。また、水中照明用管球の段部が同公報の図５（ｂ）に示されるような段差を持つ形状のものである場合には、環状パッキンを締め付ける際に管球が外套管の外部にはみ出して、水漏れ（口金部ホルダが収容されている外套管の内部への水の侵入）を生じ易いと記載されている。そして同公報においては、このような水中照明具に用いる水中照明用管球の周縁に突出曲部を形成し、且つこの突出曲部よりも管球の口金部の側の径を、突出曲部よりも管球の先端の側の径よりも小さくすることにより、環状パッキンを締め付ける際に管球をその口金部の側に押圧する力が作用するため、上記のような水漏れの発生を防止できると記載されている。
【特許文献１】実公昭６３−６８１２号公報
【特許文献２】特開平８−１２４５２２号公報
【発明の開示】
【発明が解決しようとする課題】
【０００９】
前記のように、特許文献１の水中照明具は、段部が形成された特別な水中照明用管球を用意する必要がある。また、この水中照明具は、水中照明用管球を外套管に取り付けるために環状パッキンを締め付けた際に、管球が段部へのストレスの集中により破損したり、あるいは管球が外套管の外部にはみ出して水漏れを生じたりするなどの問題を生じ易い。このため、この水中照明具を用いる場合には、水中照明用管球の段部の形状の品質管理を徹底したり、あるいは外套管への管球の取り付けを慎重に行なったりすることが必要になる。
【００１０】
また、特許文献２の水中照明具は、外套管の外部に水中照明用管球がはみ出し難いため、水漏れの発生を防止することができる。しかしながら、特許文献２の水中照明具もまた、突出曲部を持つ所定の形状に設定された特別な水中照明用管球を用意する必要がある。
【００１１】
また、上記の特許文献１あるいは特許文献２の水中照明具は、水中照明用管球の段部あるいは突出曲部が円環板状の弾性体の厚み方向の所定の位置に配置された状態にて環状パッキンを締め付けないと、外套管の内部への水の侵入を防止できない場合がある。
【００１２】
例えば、図３及び図４に示す特許文献１の水中照明具５０においては、水中照明用管球５４の段部５１ａが図示した状態よりも下方に配置された状態にて環状パッキン６５が締め付けられると、段部５１ａの上縁とＯリング６１との間に隙間が生じたり、あるいは段部５１ａの下縁への円環板状の弾性体６２の密着が不十分になったりする場合があるからである。このため、使用者は、水中照明用管球５４、あるいは管球５４の発熱により弾性体６２が劣化した環状パッキン６５を交換するために管球５４を外套管５８から取り外した場合には、別の新たな（あるいは取り外された）管球を、その段部が所定の位置（図４に示される位置）に配置されるように注意しながら外套管に取り付ける必要がある。
【００１３】
更にまた、水中照明具５０に水圧が加わり、この水圧によって水中照明用管球５４が口金部ホルダ５５の側に押されて移動した場合には、これに従い管球５４の段部５１ａも口金部ホルダ５５の側に移動する。このため、管球５４の段部５１ａと、この段部５１ａに対応する形状に変形した弾性体６２との密着状態（すなわち水密性）が変動したり、極端な場合には段部５１ａが弾性体６２から外れたりするなどして、外套管５８の内部に水が侵入する場合がある。
【００１４】
本発明の課題は、段部や突出曲部が形成された特別な水中照明用管球を用いることなく、水圧が加わった場合においても口金部ホルダへの水の侵入を妨げることができ、そして管球の破損も防止することができる水中照明具を提供することにある。
【課題を解決するための手段】
【００１５】
本発明は、円筒形の口金部、この口金部よりも大きな直径を持つ管球部及び口金部と管球部との間に介在するテーパ部からなる水中照明用管球；水中照明用管球の口金部を収容する口金部ホルダ；口金部ホルダの底部に電気的に接続しているコード；口金部ホルダを収容し、かつコードの電源への延長を可能にする透孔を備える外套管；そして外套管の先端部に備えられた管球保護用フレームからなる水中照明具であって、前記の外套管の先端部が水中照明用管球のテーパ部を超えて管球部の基部にまで伸びていて、そして少なくとも水中照明用管球のテーパ部と外套管の内壁との間、及び水中照明用管球の管球部の基部と外套管の内壁との間のそれぞれにＯリングが備えられていることにより水密構造が形成されていて、口金部ホルダへの水の侵入が妨げられていることを特徴とする水中照明具にある。
【００１６】
本発明の水中照明具においては、水中照明用管球の管球部の基部と外套管の内壁との間のＯリングの太さが、水中照明用管球のテーパ部と外套管の内壁との間のＯリングの太さよりも大きいことが好ましい。
【発明の効果】
【００１７】
本発明の水中照明具においては、水中照明用管球のテーパ部と外套管の内壁との間、及び水中照明用管球の管球部の基部と外套管の内壁との間のそれぞれに備えられたＯリングによって水密構造を形成するため、段部や突出曲部が形成された特別な水中照明用管球を用いる必要はない。従って、例えば、外套管への取り付けの際に水中照明用管球に付与される力によって段部や突出曲部に応力が集中することはないため、管球の破損を防止することができる。更に、水中照明用管球を特別に注意を払うことなく外套管に取り付けた場合、あるいは水中照明用管球が水圧によって口金部ホルダの側に移動した場合であっても外套管の内部を安定して水密に保つことができるため、口金部ホルダへの水の侵入を防止することができる。
【発明を実施するための最良の形態】
【００１８】
本発明の水中照明具を、添付の図面を用いて説明する。図１は、本発明の水中照明具の構成例を示す一部切り欠き正面図である。そして図２は、図１の水中照明具１０の外套管１８の先端部１８ａの近辺の構成を示す拡大図である。但し、図２においては、図１に示す管球保護用フレーム１９の記載は省略した。
【００１９】
図１及び図２に示す水中照明具１０は、円筒形の口金部１１、口金部１１よりも大きな直径を持つ管球部１３及び口金部１１と管球部１３との間に介在するテーパ部１２からなる水中照明用管球１４；水中照明用管球１４の口金部１１を収容する口金部ホルダ１５；口金部ホルダ１５の底部（図１において上方の部分）に電気的に接続しているコード１６；口金部ホルダ１５を収容し、かつコード１６の電源への延長を可能にする透孔１７を備える外套管１８；そして外套管１８の先端部１８ａに備えられた管球保護用フレーム１９などから構成されている。そして本発明の水中照明具１０は、前記の外套管１８の先端部１８ａが水中照明用管球１４のテーパ部１２を超えて管球部１３の基部１３ａにまで伸びていて、水中照明用管球１４のテーパ部１２と外套管１８の内壁との間、及び水中照明用管球１４の管球部１３の基部１３ａと外套管１８の内壁との間のそれぞれにＯリング２１、２２が備えられていることにより水密構造が形成されていて、口金部ホルダ１５への水の侵入が妨げられている点に主な特徴がある。
【００２０】
図１に示すように、本発明の水中照明具１０には、円筒形の口金部１１、テーパ部１２及び管球部１３からなる水中照明用管球１４が用いられており、従来の水中照明具の場合のように段部や突出曲部が形成された特別な水中照明用管球を用いる必要はない。従って、水中照明具１０の水中照明用管球１４として、例えば、漁船の船体に取り付けられ、集魚用として水上にて使用されている管球（段部や突出曲部を持たないもの）を転用することもできる。
【００２１】
水中照明用管球１４としては、例えば、口金部１１にねじ込み式の口金１１ａを備えたハロゲンランプやメタルハライドランプが好ましく用いられる。
【００２２】
なお、本発明の水中照明具１０は、上記のようにＯリング２１、２２によって水密構造が形成されている点に主な特徴がある。すなわち、このような水密構造を形成することができれば、本発明の水中照明具１０の水中照明用管球１４として、段部や突出曲部が形成された水中照明用管球を用いること（例えば、従来の水中照明具に用いる段部や突出曲部が形成された水中照明用管球を転用すること）もできる。
【００２３】
図１に示すように、水中照明用管球１４の口金部１１は、口金部ホルダ１５に収容されている。この口金部ホルダ１５は、ホルダ本体１５ｅ、ホルダ本体１５ｅの底部（図１において上方の部分）に備えられた一対の外部端子１５ａ、１５ｂ、そして各々の外部端子に電気的に接続されている一対の内部端子１５ｃ、１５ｄから構成されている。ホルダ本体１５ｅは、一対の外部端子１５ａ、１５ｂを互いに電気的に絶縁するため、そして一対の内部端子１５ｃ、１５ｄを互いに電気的に絶縁するため、また水中照明用管球１４の点灯時の発熱による変形を防止するために、一般に、セラミック材料に代表される電気的絶縁性及び耐熱性に優れた材料から形成される。
【００２４】
口金部ホルダ１５の底部に備えられた一対の外部端子１５ａ、１５ｂには、コード（電源ケーブル）１６の一方の端部が電気的に接続されている。コード１６の他方の端部は、例えば、漁船に搭載された電源（図示していない）に電気的に接続される。
【００２５】
このコード１６の外套管１８の外部への引き出し部においては、環状の弾性体２４を、その上面に配置された座金２５と共にボルト２６で締め付けて圧縮し、これにより環状弾性体２４の内縁を内側に膨出させてコード１６に密着させることにより水密構造が形成されている。座金２５を用いずに、ボルト２６によって直接に環状弾性体２４を締め付けると、環状弾性体２４に捩れを生じて水密構造が確実に形成されない場合がある。環状弾性体２４の上面に座金２５が配置されていると、ボルト２６を締め付ける際にその先端面が座金２５の上面に沿って滑動するため、上記の環状弾性体２４の捩れの発生を防止することができる。環状弾性体２４は、シリコーンゴムやクロロプレンゴムに代表されるゴム材料、あるいは軟質樹脂材料から形成される。このようなコード１６の引き出し部における水密構造は、公知の水中照明具の場合と同様である。
【００２６】
外套管１８には、前記の口金部ホルダ１５を収容し、かつコード１６の電源への延長を可能にする透孔１７が備えられている。外套管１８は、例えば、金属材料製の棒材を旋盤やフライス盤などを用いて機械加工したり、あるいは金属材料を鋳造したりして作製することができる。
【００２７】
外套管１８を形成する金属材料としては、加工性に優れ且つ低価格であることから、真鍮（銅−亜鉛合金）や砲金（銅−錫合金）に代表される銅合金を用いることが一般的である。また、銅合金は熱伝導性に優れているため、銅合金製の外套管を用いると、水中にて水中照明具を使用した場合に外套管の外部と内部との温度差が小さくなる。このため、外套管の内部での結露の発生を抑制することができる。
【００２８】
外套管１８の周囲には、水中照明具１０が海流に流されることを防止するために、例えば、鉛から形成された錘３０が取り付けられている。
【００２９】
外套管１８の先端部に備えられた管球保護用フレーム１９は、例えば、水中照明具１０を集魚用として漁船から海中に投入したり、海中から引き揚げたりする際に、漁船の船体との接触による水中照明用管球１４の破損を防止したり、また海中にて魚類等が衝突することによる管球１４の破損を防止したりする。
【００３０】
水中照明具１０の管球保護用フレーム１９は、一対の環体１９ａ、１９ａと、両環体を連結する合計で６本の支柱１９ｂとから構成されており、例えば、ステンレススチールなどの金属材料から形成される。
【００３１】
管球保護用フレーム１９は、ボルト２７によって外套管１８の先端部１８ａの外縁に沿って形成された切り欠き部１８ｂに固定されている。このような切り欠き部１８ｂに管球保護用フレーム１９が固定されていると、管球保護用フレーム１９を固定するボルト２７、および後に説明するＯリング２２の圧縮に用いるボルト２８のうちの一方を締め付ける際に、他方が邪魔になることがない。
【００３２】
また、外套管１８の頂面に取り付けられているアイボルト３１及びロープ３２は、水中照明具１０を水中にて使用する際に、コード１６の外套管１８からの引き出し部に張力が付与されることを防止している。コード１６の外套管１８からの引き出し部に張力が付与されると、コード１６の直径が小さくなり、これが原因で外套管１８のコード１６の引き出し部にて水漏れが生じる場合があるからである。
【００３３】
なお、図３に示す従来の水中照明具５０のように、外套管５８に、上記のロープを通す透孔６８ａを備えたロープ固定部６８を一体に形成してもよいが、このような形状の外套管５８は鋳造あるいは複雑な機械加工によって作製する必要がある。一方、図１の水中照明具１０のようにアイボルト３１を利用すると、ロープ固定部を形成する必要がないため、外套管１８を旋盤を用いて容易に作製することができる。
【００３４】
そして、前記のように本発明の水中照明具１０は、外套管１８の先端部１８ａが水中照明用管球１４のテーパ部１２を超えて管球部１３の基部１３ａにまで伸びていて、水中照明用管球１４のテーパ部１２と外套管１８の内壁との間、及び水中照明用管球１４の管球部１３の基部１３ａと外套管１８の内壁との間のそれぞれにＯリング２１、２２が備えられていることにより水密構造が形成されていて、口金部ホルダ１５への水の侵入が妨げられている点に主な特徴がある。
【００３５】
図１及び図２に示す水中照明具１０においては、Ｏリング２１、２２の各々を上記の所定の位置に安定に配置するために、外套管１８の透孔１７に嵌め合わされた筒体２３が用いられている。この筒体２３は、水中照明用管球１４のテーパ部１２に向かって突き出る環状の突出部２３ａを備えており、そして外套管１８の先端部１８ａよりも上方にて、水中照明用管球１４のテーパ部１２と管球部１３の基部１３ａとの周囲に配置されている。上記のＯリング２１は、筒体２３の内周面と環状突出部２３ａの下面との隅部に沿って配置されて水中照明用管球１４のテーパ部１２の周囲を支持しており、そしてＯリング２２は、筒体２３の下端面と外套管１８の内壁との隅部に沿って配置されて水中照明用管球１４の管球部１３の基部１３ａの周囲を支持している。
【００３６】
筒体２３は、水中照明用管球１４の点灯時の発熱による変形が防止され、その加工も容易になることから金属材料から形成することが好ましい。筒体２３を形成する金属材料としては、外套管１８の場合と同様に外套管１８の内部での結露の発生を抑制するため、真鍮や砲金に代表される銅合金を用いることが好ましい。
【００３７】
なお、筒体２３は、外套管１８に固定されていてもよいし、あるいは外套管１８と一体に形成されていてもよい。但し、筒体２３を外套管１８と一体に形成する場合には、外套管１８の内部への口金部ホルダ１５の収容を可能にするため、例えば、筒体の上部の開口の径を口金部ホルダの外径よりも大きな径に設定することが好ましい。また、外套管１８の内部に口金部ホルダ１５を収容する際の作業性、あるいは破損により口金部ホルダ１５を外套管１８の内部から取り出す際の作業性を考慮すると、筒体２３を外套管１８とは別の部品として用意することが好ましい。
【００３８】
そして、本発明の水中照明具１０においては、Ｏリング２２は、ボルト２８の締め付けにより外套管１８の先端部１８ａに備えられた環状の押圧具３３が押し付けられることで厚み方向に圧縮される。これによりＯリング２２の内縁が内側に膨出して管球部１３の基部１３ａの周囲に密着し、そしてＯリング２２の外縁が外側に膨出して外套管１８の内壁に密着して、口金部ホルダ１５を収容している外套管１８の内部が水密に保たれる。なお、環状押圧具３３は、前記の銅合金、あるいはステンレススチールなどの金属材料から形成される。
【００３９】
そして、前記のようにＯリング２２を用いると、図２に示すようにＯリング２２の表面、外套管１８の内壁及び筒体２３の下端面によって、そしてＯリング２２の表面、外套管１８の内壁及び環状押圧具３３の上面によって、Ｏリング２２の外套管１８の側に空隙２９ａ、２９ｂが形成される。このような空隙２９ａ、２９ｂが存在することにより、Ｏリング２２は、上記のように厚み方向に圧縮された際に、その断面の形状が水平方向に大きく変形する。このため、Ｏリング２２は、その内縁が大きく膨出して管球部１３の基部１３ａの周囲に十分に密着し、そして外縁もまた大きく膨出して外套管１８の内壁に十分に密着する。このため、外套管１８の内部を十分に水密に保つことができ、そして口金部ホルダ１５への水の侵入を防止することができる。
【００４０】
これに対して、図３及び図４に示す従来の水中照明具５０が備える円環板状の弾性体６２は、その上面、下面及び外周面が、それぞれ上部環体６３、下部環体６４及び外套管５８に間隙なく密着している。このため、弾性体６２は、上記のような間隙が存在しないため、その断面の形状が水平方向に大きく変形しない。すなわち、従来の水中照明具５０は、弾性体６２の内縁及び外縁の各々の膨出量が小さいため、上記のように段部５１ａが形成された特別な管球５４（更にはＯリング６１）を用いて外套管５８の内部を水密に保っている。
【００４１】
また、図１及び図２に示す本発明の水中照明具１０において、Ｏリング２２は、水中照明用管球１４の円筒形の管球部１３の基部１３ａの周囲に密着しており、図３及び図４に示す従来の水中照明具５０の円環板状の弾性体６２のように、水中照明用管球５４の段部５１ａの形状に応じて変形され、この段部５１ａに嵌め合わされるようにして管球５４の周囲に密着しているのではない。従って、本発明の水中照明具１０においては、水中照明用管球１４を、その上下方向の位置に特別に注意を払うことなく外套管１８に取り付けた場合であっても、Ｏリング２２を管球部１３の基部１３ａの周囲に十分に密着させることができるため、外套管１８の内部を安定して水密に保つことができる。
【００４２】
更に、水中照明具１０に水圧が加わり、この水圧によって水中照明用管球１４が口金部ホルダ１５の側に押されて上方に移動した場合であっても、Ｏリング２２によって管球部１３の基部１３ａを支持する位置が変動するのみであり、外套管１８の内部の水密性が大きく変動することはない。但し、前記のような水圧による水中照明用管球１４の移動を無制限に許すと、管球１４の口金部１１を収容している口金部ホルダ１５が外套管１８に押し付けられて、口金部１１に備えられた口金１１ａあるいは口金部ホルダ１５が破損する場合がある。これを防止するため、本発明の水中照明具１０においては、Ｏリング２１により水中照明用管球１４のテーパ部１２の周囲を支持している。
【００４３】
このように、本発明の水中照明具１０は、Ｏリング２１とＯリング２２との両者によって、水中照明用管球１４を、その上下方向の位置に特別に注意を払うことなく外套管１８に取り付けた場合、あるいは使用時に水圧が加わった場合であっても、外套管１８の内部を安定して水密に保つことができる水密構造を形成し、これにより口金部ホルダ１５への水の侵入を防ぐことができるという効果を発揮する。
【００４４】
また、本発明の水中照明具１０には、段部や突出曲部を持つ特別な水中照明用管球を用いる必要はない。従って、水中照明具１０は、外套管１８への取り付けの際に水中照明用管球１４に加わる力によって、あるいは使用中に水中照明具１０に加わる外部振動（例えば、水中照明具を集魚用として海中に投げ入れたり、あるいは海中から引き揚げる際に漁船の船体と接触することで生じる振動）によって、段部や突出曲部に応力が集中して管球が破損するという問題は生じない。これは、前述のように、本発明の水中照明具の水中照明用管球として、従来の水中照明具が備える段部や突出曲部が形成された水中照明用管球を転用した場合にも同様である。
【００４５】
本発明の水中照明具１０においては、水中照明用管球１４の管球部１３の基部１３ａと外套管１８の内壁との間のＯリング２２の太さが、水中照明用管球１４のテーパ部１２と外套管１８の内壁との間のＯリング２１の太さよりも大きいことが好ましい。上記のように、本発明の水中照明具１０においては、Ｏリング２２を、その内縁と外縁とを大きく膨出させ、水中照明用管球１４の管球部１３の基部１３ａと外套管１８の内壁との各々に密着させることにより、外套管１８の内部を水密に保っている。一方、Ｏリング２１は、水圧による水中照明用管球１４の無制限な移動を妨げるため、主として管球１４のテーパ部１２を支持する働きをする。従って、外套管１８の内部を水密に保つために内縁及び外縁を大きく膨出させる必要があるＯリング２２の太さは、Ｏリング２１の太さよりも大きいことが好ましい。
【００４６】
Ｏリング２１の太さは、１乃至１０ｍｍの範囲にあることが好ましく、２乃至８ｍｍの範囲にあることが更に好ましい。Ｏリング２２の太さは、２乃至１５ｍｍの範囲にあることが好ましく、３乃至１０ｍｍの範囲にあることが更に好ましい。図１及び図２に示す水中照明具１０においては、例えば、Ｏリング２１の太さが５．０ｍｍに、そしてＯリング２２の太さが６．０ｍｍに設定されている。Ｏリング２１及びＯリング２２の各々は、点灯時に発熱する水中照明用管球１４に密着するため、例えば、シリコーンゴムなどの耐熱性に優れるゴム材料から形成される。
【００４７】
なお、本発明の水中照明具１０においては、水密構造を形成するためにＯリング２１及びＯリング２２を用いているが、このようにＯリングを用いることには、各々のＯリングとして市販品を転用、あるいは形状（太さ、内径及び外形）や材料を指定することで容易に購入して使用できるという利点もある。
【００４８】
図１及び図２に示すように、Ｏリング２２は、その厚み方向の一部分が外套管１８の先端部１８ａよりも下方に突き出ていることが好ましい。このように、Ｏリング２２の一部分が外套管１８の先端部１８ａよりも下方に突き出ていると、環状押圧具３３の形状を、Ｏリング２２を圧縮するために外套管１８の透孔１７の内部に挿入される環状の突起を備えた複雑な形状に設定する必要がない。例えば、環状押圧具３３の形状を、図１及び図２に示すような円環板状に設定すると、環状押圧具３３を簡単に作製する（あるいは市販のワッシャを環状押圧具として転用する）ことができる。
【００４９】
更に、図１及び図２に示すように、環状押圧具３３が外套管１８の透孔１７の外部に配置されていると、筒体２３の下端面の全体が環状押圧具３３の上面の上方に配置されるため、筒体２３の下端面と環状押圧具３３の上面とによってＯリング２２を均一に圧縮する（水密構造を安定して形成する）ことができる。
【００５０】
例えば、図３及び図４に示す従来の水中照明具５０においては、上部環体６３及び下部環体６４の間に円環板状の弾性体６２が挟着され一体化された構成の環状パッキン６５が用いられており、そして両者の環体６３、６４はいずれも外套管５８の透孔５７の内部に配置されている。仮に、これらの部品が一体化されていない場合には、上部環体６３及び下部環体６４の各々の外径は外套管５８の透孔５７に挿入するために透孔５７の径よりも僅かに小さな値に設定されているため、両者の環体６３、６４が透孔５７の内部にて水平方向に微動して（上部環体の下面が下部環体の上面の上方から外れた位置に配置されて）弾性体６２を不均一に圧縮する（水密構造を安定して形成できない）場合がある。但し、同文献の水中照明具５０においては、上部環体６３、下部環体６４及び弾性体６２が一体化されているため、上記のような問題は生じない。しかしながら、水中照明用管球５４の点灯時の発熱により弾性体６２が劣化した場合には、弾性体６２と共に上部環体６３及び下部環体６４も交換（通常は廃棄）することが必要になる。
【００５１】
すなわち、図１及び図２に示す本発明の水中照明具１０のように、外套管１８の透孔１７の外部に環状押圧具３３が配置されていると、従来の水中照明具の場合のように特別な環状パッキンを用いなくても水密構造を安定して形成することができ、また水中照明用管球１４の点灯時の発熱によりＯリング２２が劣化した場合には、Ｏリング２２のみを交換すればよい。
【００５２】
また、本発明の水中照明具においては、口金部ホルダが、外套管の透孔の内部に上下に移動可能な状態にて収容されていることが好ましい。図１及び図２に示す水中照明具１０においては、外套管１８の内壁に、その周方向に沿って互いに間隔をあけて複数本（例えば、４本）の溝１８ｃが形成されており、そして各々の溝１８ｃには口金部ホルダ１５のホルダ本体１５ｅに形成された突起１５ｆが嵌め合わされている。これにより、口金部ホルダ１５は、外套管１８の透孔１７の内部にて、溝１８ｃに沿って上下方向に移動可能とされている。
【００５３】
仮に、口金部ホルダ１５が外套管１８の透孔１７の内部にて固定配置されていると、水中照明具１０に水圧が加わった場合に、この水圧により水中照明用管球１４が上方に移動して口金部ホルダ１５に押し付けられるため、管球１４の口金１１ａあるいは口金部ホルダ１５が破損する場合がある。特に、口金部ホルダ１５は、通常、そのホルダ本体１５ｅがセラミック材料から形成されるため、水圧により水中照明用管球１４が押し付けられるるとホルダ本体１５ｅに亀裂を生じて破損し易い。
【００５４】
前記のように、口金部ホルダ１５が上下方向に移動可能とされていると、水圧により水中照明用管球１４が上方に移動した場合に、これに応じて口金部ホルダ１５が上方に移動するため、管球１４が口金部ホルダ１５に押し付けられることはない。このため、管球１４の口金１１ａあるいは口金部ホルダ１５の破損を防止することができる。なお、水圧により水中照明用管球１４に加わる力は、Ｏリング２１、そして筒体２３を介して外套管１８に付与される。
【００５５】
また、上記のように外套管１８の溝１８ｃに口金部ホルダ１５の突起１５ｆが嵌め合わされていると、外套管１８の透孔１７の内部での口金部ホルダ１５の回転が防止されるため、水中照明用管球１４の口金部１１を口金部ホルダ１５にねじ込む作業が容易になる。
【００５６】
以上のように、本発明の水中照明具は、水中照明用管球を特別に注意を払うことなく外套管に取り付けた場合であっても、取り付けの際に管球が破損することなく、そして外套管の内部を安定して水密に保つことができる。このため、本発明の水中照明具は、使用者が、集魚用として水中照明具を日常的に使用して、水中照明用管球の取り付けに熟練した者でなくても、何の問題も生じることなく使用することができる。このため、本発明の水中照明具は、上記のような集魚のための使用の他に、プール、温泉、湖沼、河川、海岸付近の海をライトアップするアミューズメント用の照明具、あるいは水中での作業用の照明具としての使用も期待される。
【図面の簡単な説明】
【００５７】
【図１】本発明の水中照明具の構成例を示す一部切り欠き正面図である。
【図２】図１の水中照明具１０の外套管１８の先端部の近辺の構成を示す拡大図である。
【図３】従来の水中照明具の構成を示す一部切り欠き正面図である。
【図４】図３の水中照明具５０の外套管５８の先端部の近辺の構成を示す拡大図である。
【符号の説明】
【００５８】
１０  水中照明具
１１  口金部
１１ａ  ねじ込み式の口金
１２  テーパ部
１３  管球部
１３ａ  管球部１３の基部
１４  水中照明用管球
１５  口金部ホルダ
１５ａ、１５ｂ  口金部ホルダ１５の外部端子
１５ｃ、１５ｄ  口金部ホルダ１５の内部端子
１５ｅ  口金部ホルダ１５のホルダ本体
１５ｆ  ホルダ本体１５ｅの突起
１６  コード
１７  透孔
１８  外套管
１８ａ  外套管１８の先端部
１８ｂ  外套管１８の切り欠き部
１８ｃ  外套管１８の溝
１９  管球保護用フレーム
１９ａ  環体
１９ｂ  支柱
２１  Ｏリング
２２  Ｏリング
２３  筒体
２３ａ  環状の突出部
２４  環状弾性体
２５  座金
２６、２７、２８  ボルト
２９ａ、２９ｂ  空隙
３０  錘
３１  アイボルト
３２  ロープ
３３  環状押圧具
５０  水中照明具
５１  口金部
５１ａ  段部
５２  テーパ部
５３  管球部
５４  水中照明用管球
５５  口金部ホルダ
５６  コード
５７  透孔
５８  外套管
５９  管球保護用フレーム
６１  Ｏリング
６２  円環板状の弾性体
６３  上部環体
６３ａ  上部管体６３の内包突出部
６４  下部環体
６５  環状パッキン
６６  パッキン押え
６７  ボルト
６８  ロープ固定部
６８ａ  透孔
【図１】
2008171672.tif 000003
【図２】
2008171672.tif 000004
【図３】
2008171672.tif 000005
【図４】
2008171672.tif 000006